(57)【要約】【課題】放射線量に対して求められる測定精度を保ちながら、消費電力を低減することが可能な放射線量計測システムを提供する。【解決手段】複数のセンサ８１は、放射線を検出する。測定部８２は、センサの検出結果を用いて放射線量を測定する。制御部９１は、測定部が放射線量として測定する測定値の種類を測定部に設定するとともに、設定した種類に応じた数のセンサを動作させる。【選択図】図９
2014190819.tif 000002
【特許請求の範囲】
【請求項１】
放射線を検出する複数のセンサと、
前記センサの検出結果を用いて放射線量を測定する測定部と、
を有する放射線量計と、
前記測定部が前記放射線量として測定する測定値の種類を前記測定部に設定するとともに、当該種類に応じた数の前記センサを動作させる制御部
を有する通信端末と、
を備える放射線量計測システム。
【請求項２】
前記測定値の種類としては、前記検出された放射線の量を累積した累積値と、単位時間当たりに検出された放射線の量である瞬時値とがあり、
前記制御部は、前記測定部に前記種類として前記累積値および前記瞬時値の両方を設定する場合、前記測定部に前記種類として前記累積値を設定する場合に動作させる前記センサの数よりも多い数の前記センサを動作させる、請求項１に記載の放射線量計測システム。
【請求項３】
前記通信端末は、前記測定部が測定した放射線量を表示する表示部をさらに有し、
前記制御部は、当該表示部の状態に基づいて、前記測定値の種類を設定する、請求項１または２に記載の放射線量計測システム。
【請求項４】
前記制御部は、前記表示部が表示画面を表示していない場合に動作させるセンサの数が、前記表示部が表示画面を表示している場合に動作させるセンサの数以下となるように前記種類を設定する、請求項３に記載の放射線量計測システム。
【請求項５】
前記放射線量計は、前記測定値の種類と、動作させる前記センサの数とが予め対応づけられた複数の動作モードを有し、
前記制御部は、前記放射線量計の動作モードを切り替えることで、前記測定値の種類を前記測定部に設定するとともに、当該種類に応じた数のセンサを動作させる、請求項１ないし４のいずれか１項に記載の放射線量計測システム。
【請求項６】
前記放射線量計は、前記測定部が前記放射線量として測定する測定値の種類を前記検出された放射線の量を累積した累積値とし、かつ、所定の数の前記センサを動作させる第１の動作モードと、前記測定部が前記放射線量として測定する測定値の種類を単位時間あたりに検出された放射線の量である瞬時値とし、かつ、前記所定の数よりも多い前記センサを動作させる第２の動作モードとを有し、
前記制御部は、前記放射線量計の動作モードを切り替えることで、前記測定値の種類に応じた数のセンサを動作させる、請求項１ないし５のいずれか１項に記載の放射線量計測システム。
【請求項７】
放射線を検出する複数のセンサ、および前記センサの検出結果を用いて放射線量を測定する測定部を有する放射線量計と接続する接続部と、
前記測定部が前記放射線量として測定する測定値の種類を前記接続部を介して前記測定部に設定するとともに、当該種類に応じた数の前記センサを前記接続部を介して動作させる制御部と、を備える通信端末。
【請求項８】
放射線を検出する複数のセンサ、および前記センサの検出結果を用いて放射線量を測定する測定部を有する放射線量計と接続された通信端末が、
前記測定部が前記放射線量として測定する測定値の種類を前記測定部に設定し、
当該種類に応じた数の前記センサを動作させる、前記放射線量計の制御方法。
【請求項９】
放射線を検出する複数のセンサ、および前記センサの検出結果を用いて放射線量を測定する測定部を有する放射線量計と接続された通信端末に、
前記測定部が前記放射線量として測定する測定値の種類を前記測定部に設定する手順と、
当該種類に応じた数の前記センサを動作させる手順と、を実行させるためのプログラム。
【請求項１０】
放射線を検出する複数のセンサと、
通信端末から受信した制御信号に基づいて、放射線量として測定する測定値の種類を設定し、前記設定した種類に応じた数の前記センサを動作させて、前記センサの検出結果を用いて前記設定した種類の測定値を測定する測定部と、を備える放射線量計。
【発明の詳細な説明】
【技術分野】
【０００１】
本発明は、放射線量計測システム、通信端末、放射線量計の制御方法、プログラム、および放射線量計に関する。
【背景技術】
【０００２】
近年、空間中の放射線量を測定する放射線量計が注目されている。人体が放射線にさらされると、病気の発生頻度が高まるなど健康被害が生じると言われており、短時間に強い放射線を浴びると、死に至ることもある。また、放射線の人体への影響は蓄積されると言われており、直ちに健康被害を引き起こす強さの放射線でなくても、継続的に放射線を浴びつづけると健康被害を引き起こすことがある。このため、放射線量計には、放射線量として、単位時間当たりに検出した放射線の量を示す瞬時値を測定するものと、検出した放射線の累積量を示す累積値を測定するものとがある。
【０００３】
また、このような放射線量計と連携して動作するスマートフォンやタブレット端末などの携帯機器も提案されている。携帯機器と連携して動作する機能を有する放射線量計の多くは、携帯機器とは独立して自律的に線量の測定を行い、測定した線量を携帯機器に送信する。そして携帯機器は、放射線量計が送信した放射線量を受信し、受信した放射線量を単純に表示したり蓄積したりする機能を有する。
【０００４】
また、特許文献１には、本発明に関連する技術として、携帯情報端末から外部装置を制御する技術が記載されており、外部装置の一例として、放射線量計が挙げられている。
【０００５】
また、放射線量計の測定精度は、センサ素子の検出面の表面積と関係している。放射線量計は、センサ素子の検出面に当たる放射線を検出している。放射線が検出面に当たる確率は、その表面積と比例しており、表面積が広いほど放射線が検出面に当たる確率は上がる。このため、１回の検出により推定される放射線量は、検出面の表面積に反比例し、検出面の表面積が広いほど放射線量計の測定精度は上がる。
【０００６】
具体的には、５ｍｍ角のセンサ素子を１つ用いる場合、このセンサ素子が放射線を１回検出したことが、０．１μＳｖの放射線量に相当すると仮定する。このセンサ素子を１０個並列接続して放射線量を測定すると、検出面の表面積は１０倍となる。このとき、１回の検出により推定される放射線量は、センサ素子が１つの場合に推定される放射線量の１０分の１となり、０．０１μＳｖに相当する。このように、検出面の表面積が同一のセンサ素子をＮ個並列動作させると、放射線量の測定精度がＮ倍になる。
【０００７】
また、放射線量に対して求められる測定精度は、放射線量として測定するの測定値の種類（瞬時値や累積値）によって異なる。
【先行技術文献】
【特許文献】
【０００８】
【特許文献１】特開２０１２−１９４９３１号公報
【発明の概要】
【発明が解決しようとする課題】
【０００９】
放射線量として複数の種類の測定値を測定する放射線量計において、求められる測定精度で放射線量を測定するには、複数の種類の測定値のうち、最も高い測定精度が求められる測定値に合わせた数のセンサ素子を放射線量計に備えればよい。
【００１０】
しかしながら、この場合、各測定値に対して求められる測定精度が異なるのに関わらず、最も高い測定精度が求められる測定値の種類に合わせた数のセンサ素子が動作するため、放射線量計の消費電力が必要以上に増大してしまうという問題があった。
【００１１】
なお、特許文献１に記載の技術では、携帯情報端末が放射線量計を制御しているが、測定値の種類と、動作するセンサ素子との対応については考慮されておらず、上記の問題を解決することができない。
【００１２】
本発明の目的は、放射線量の測定値に対して求められる測定精度を保ちながら、消費電力を低減することが可能な放射線量計測システム、通信端末、放射線量計の制御方法、プログラム、および放射線量計を提供することである。
【課題を解決するための手段】
【００１３】
本発明による放射線量計測システムは、
放射線を検出する複数のセンサと、
前記センサの検出結果を用いて放射線量を測定する測定部と、
を有する放射線量計と、
前記測定部が前記放射線量として測定する測定値の種類を前記測定部に設定するとともに、当該種類に応じた数の前記センサを動作させる制御部
を有する通信端末と、
を有する。
【００１４】
また、本発明による通信端末は、
放射線を検出する複数のセンサと、前記センサの検出結果を用いて放射線量を測定する測定部とを有する放射線量計と接続する接続部と、
前記測定部が前記放射線量として測定する測定値の種類を前記測定部に設定するとともに、当該種類に応じた数の前記センサを動作させる制御部と、
を備える。
【００１５】
また、本発明による放射線量計の制御方法は、
放射線を検出する複数のセンサと、前記センサの検出結果を用いて放射線量を測定する測定部とを有する放射線量計と接続された通信端末が、
前記測定部が前記放射線量として測定する測定値の種類を前記測定部に設定し、
当該種類に応じた数の前記センサを動作させる。
【００１６】
また、本発明によるプログラムは、
放射線を検出する複数のセンサと、前記センサの検出結果を用いて放射線量を測定する測定部とを有する放射線量計と接続された通信端末に、
前記測定部が前記放射線量として測定する測定値の種類を前記測定部に設定する手順と、
当該種類に応じた数の前記センサを動作させる手順と、を実行させる。
【００１７】
また、本発明による放射線量計は、
放射線を検出する複数のセンサと、
前記センサの検出結果を用いて放射線量を測定する測定部と、を備え、
前記測定部は、前記放射線量として測定する測定値の種類を設定する通信端末から、当該種類を示す制御信号を受信し、受信した制御信号に基づいて、前記種類に応じた数の前記センサを動作させる。
【発明の効果】
【００１８】
本発明によれば、求められる測定精度を保ちながら、消費電力を低減することが可能である。
【図面の簡単な説明】
【００１９】
【図１】本発明の第１の実施形態にかかる放射線量計測システム１００の構成図である。
【図２】累積値モードで動作する場合の放射線量計について説明するための図である。
【図３】瞬時値モードで動作する場合の放射線量計について説明するための図である。
【図４】アプリケーションの状態および表示操作部の状態と、放射線量計の動作モードとの関係を示す図である。
【図５】状態１において表示する表示画面について説明するための図である。
【図６】状態２において表示する表示画面について説明するための図である。
【図７】放射線量計測システム１００の動作を説明するためのシーケンス図である。
【図８】図７の動作モード決定処理の詳細を説明するためのフローチャートである。
【図９】本発明の第２の実施形態にかかる放射線量計測システム２００の構成図である。
【図１０】放射線量計測システム２００の動作を説明するためのフローチャートである。
【発明を実施するための形態】
【００２０】
以下、本発明の実施形態について添付の図面を参照して説明する。なお、本明細書および図面において、同一の機能を有する構成要素については同じ符号を付することにより重複説明を省略する場合がある。
【００２１】
（第１の実施形態）
図１は、本発明の第１の実施形態にかかる放射線量計測システム１００の構成を示す図である。
【００２２】
図１に示す放射線量計測システム１００は、放射線量計１０と、通信端末２０とを有する。
【００２３】
放射線量計１０は、複数の放射線検出センサ１１と、電源１２と、インタフェース１３と、ＣＰＵ（Ｃｅｎｔｒａｌ  Ｐｒｏｃｅｓｓｉｎｇ  Ｕｎｉｔ）１４とを有する。本実施形態では、放射線量計１０は、６つの放射線検出センサ１１を有する。
【００２４】
放射線検出センサ１１は、放射線を検出する検出面を有し、検出面に放射線が当たることで生じる電流を検出し、その検出結果をＣＰＵ１４に出力する。
【００２５】
電源１２は、放射線検出センサ１１およびＣＰＵ１４に電力を供給する。また電源１２は、放射線検出センサ１１ごとに、電力を供給している状態と電力の供給を断っている状態とを切り替えることが可能である。
【００２６】
インタフェース１３は、通信端末２０と接続する接続インタフェースである。インタフェース１３は、例えばケーブルを介して通信端末２０と接続する有線インタフェースであってもよいし、無線の通信路を介して通信端末２０と接続する無線インタフェースであってもよい。
【００２７】
ＣＰＵ１４は、放射線量計１０を制御し、放射線検出センサ１１の検出結果を用いて放射線量を測定する測定部である。ＣＰＵ１４が放射線量として測定する測定値の種類としては、例えば検出された放射線の量を累積した累積値や、単位時間当たりに検出された放射線の量である瞬時値が挙げられる。本実施形態では、放射線の量は線量当量で表されるものとする。線量当量は、放射線被ばくによる人体への影響を示した値であり、放射線の種類の違いなどによる人体への影響の差を反映した値である。またＣＰＵ１４は、累積値として測定した線量当量を累積した値を測定し、瞬時値として単位時間当たりの線量当量の値（線量当量率）を測定する。この場合、累積値の単位は、例えばｍＳｖ（ミリシーベルト）が用いられる。また瞬時値の単位は、例えばμＳｖ／ｈ（マイクロシーベルト毎時）が用いられる。
【００２８】
また、放射線量計１０は、予め定められた複数の動作モードを有し、各動作モードでは、ＣＰＵ１４が放射線量として測定する測定値の種類と、動作させる放射線検出センサ１１の数とが対応づけられている。また本実施形態では、複数の動作モードには、ＣＰＵ１４が放射線量として測定する測定値の種類を累積値とし、かつ、所定の数の放射線検出センサ１１を動作させる第１のモードである累積値モードと、ＣＰＵ１４が放射線量として測定する測定値の種類を瞬時値とし、かつ、累積値モードで動作させるセンサの数である上記所定の数よりも多い放射線検出センサ１１を動作させる第２の動作モードである瞬時値モードとを含む。
【００２９】
図２は、累積値モードで動作する場合の放射線量計１０について説明するための図である。
【００３０】
累積値モードで動作する場合、ＣＰＵ１４は、電源１２に複数の放射線検出センサ１１のうちの１つに電力を供給させる。これにより、ＣＰＵ１４は、電力を供給した放射線検出センサ１１を動作させ、他の放射線検出センサ１１への電力供給を断つ。
【００３１】
図３は、瞬時値モードで動作する場合の放射線量計１０について説明するための図である。
【００３２】
瞬時値モードで動作する場合、ＣＰＵ１４は、電源１２に、６つの放射線検出センサ１１の全てに電力を供給させる。
【００３３】
なお、本実施形態では、累積値モードで動作させる放射線検出センサ１１の数を１、瞬時値モードで動作させる放射線検出センサ１１の数を６としたが、本発明はかかる例に限定されない。ＣＰＵ１４は、瞬時値モードにおいて、累積値モードで動作させる放射線検出センサ１１の数よりも多い数の放射線検出センサ１１を動作させる。このとき、数の大小関係を保てば、累積値モードで動作させる放射線検出センサ１１の数は１つでなくてもよく、瞬時値モードでは、放射線量計１０が有する放射線検出センサ１１の全てを動作させなくてもよい。
【００３４】
図１の説明に戻る。
【００３５】
ＣＰＵ１４は、インタフェース１３を介して通信端末２０から制御信号を受信し、受信した制御信号に従って動作モードを選択することができる。
【００３６】
通信端末２０は、放射線量計１０と接続する情報処理装置であり、スマートフォンおよび携帯電話などである。また通信端末２０は、ゲーム機器、ＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ：携帯情報端末）、ナビゲーション装置、音楽再生装置、および映像処理装置などであってもよい。なおＰＣには、タブレット型ＰＣやノート型ＰＣなども含まれる。また映像処理装置には、カメラ、レコーダ、プレイヤなども含まれる。
【００３７】
通信端末２０は、表示操作部２１と、通信部２２と、インタフェース２３と、ＣＰＵ２４とを有する。
【００３８】
表示操作部２１は、表示画面を表示する表示部としての機能と、操作入力を受け付ける操作部としての機能とを有する。表示操作部２１は、例えば表示パネル上にタッチセンサが重畳されたタッチパネルである。表示操作部２１は、ＣＰＵ２４の制御に従って表示画面を表示し、ユーザから受け付けた操作入力を示す操作信号をＣＰＵ２４に出力する。
【００３９】
通信部２２は、インターネット網と接続する通信インタフェースである。通信部２２は、インターネット網を介してアプリケーションを受信することができる。
【００４０】
インタフェース２３は、放射線量計１０と接続する接続インタフェースであり、接続部とも称する。インタフェース２３は、例えばケーブルを介して放射線量計１０と接続する有線インタフェースであってもよいし、無線の通信路を介して放射線量計１０と接続する無線インタフェースであってもよい。
【００４１】
ＣＰＵ２４は、通信端末２０を制御する。ＣＰＵ２４は、表示操作部２１が出力した操作信号に基づいて通信端末２０を制御することができる。また、ＣＰＵ２４は、表示画面を生成し、表示操作部２１に生成した表示画面を表示させる。
【００４２】
またＣＰＵ２４は、放射線量計制御アプリケーションおよびＯＳ（Ｏｐｅｒａｔｉｏｎ  Ｓｙｓｔｅｍ）を実行して、アプリケーション制御部２５とＯＳ制御部２６とを実現する。なお、アプリケーション制御部２５は、放射線量計制御アプリケーションで実現され、ＯＳ制御部２６は、ＯＳで実現される。
【００４３】
アプリケーション制御部２５は、放射線量計１０を制御する。本実施形態では、アプリケーション制御部２５は、放射線量計１０に放射線量として測定させる測定値の種類を決定し、決定した測定値の種類に応じた動作モードを放射線量計１０に設定する制御信号を送信する。放射線量計１０のＣＰＵ１４は、受信した制御信号に基づいて、放射線量として測定する測定値の種類を設定し、この種類に応じた数の放射線検出センサ１１を動作させる。これにより、アプリケーション制御部２５は、放射線量計１０が放射線量として測定する測定値の種類をＣＰＵ１４に設定するとともに、この種類に応じた数の放射線検出センサ１１を動作させる制御部として機能する。
【００４４】
アプリケーション制御部２５は、ＣＰＵ１４に測定値の種類として累積値および瞬時値の両方を設定する場合、ＣＰＵ１４に測定値の種類として累積値のみを設定する場合に動作させる放射線検出センサ１１の数よりも多い数の放射線検出センサ１１を動作させる。本実施形態では、瞬時値モードに対応づけられた放射線検出センサ１１の数が、累積モードに対応づけられた放射線検出センサ１１の数よりも多いため、アプリケーション制御部２５は、動作モードを決定することで、ＣＰＵ１４に測定値の種類として累積値および瞬時値の両方を設定する場合、ＣＰＵ１４に測定値の種類として累積値のみを設定する場合に動作させる放射線検出センサ１１の数よりも多い数の放射線検出センサ１１を動作させることとなる。
【００４５】
例えば、アプリケーション制御部２５は、表示操作部２１の状態に基づいて、放射線量計１０に測定させる測定値の種類を決定する。本実施形態では、測定させる測定値の種類を決定すると測定値の種類に応じた放射線量計１０の動作モードが決まるため、アプリケーション制御部２５は、表示操作部２１の状態に基づいて、放射線量計１０の動作モードを決定することになる。
【００４６】
図４は、アプリケーションの状態および表示操作部の状態と動作モードとの関係を示す図である。
【００４７】
アプリケーション制御部２５は、表示操作部２１が表示画面を表示していない場合に動作させる放射線検出センサ１１の数が、表示操作部２１が表示画面を表示している場合に動作させる放射線検出センサ１１の数以下となるように、測定値の種類を設定する。本実施形態では、アプリケーション制御部２５は、表示操作部２１が表示画面を表示している状態（以下、ＯＮ状態と呼ぶこともある）では、アプリケーション制御部２５自身の状態に応じて放射線量計１０の動作モードを決定し、表示操作部２１が表示画面を表示していない状態（以下、ＯＦＦ状態と呼ぶこともある）では、アプリケーションの状態に関わらず、動作モードを累積モードとする。
【００４８】
表示操作部２１が表示画面を表示している状態であり、アプリケーション制御部２５が、放射線量計１０を累積値モードで動作させることを選択している状態（状態１）では、アプリケーション制御部２５は、動作モードを累積値モードとする制御信号を生成する。
【００４９】
また、表示操作部２１が表示画面を表示している状態であり、アプリケーション制御部２５が、放射線量計１０を瞬時値モードで動作させることを選択している状態（状態２）である場合、アプリケーション制御部２５は、動作モードを瞬時値モードとする制御信号を生成する。
【００５０】
また、表示操作部２１が表示画面を表示していない状態であり、アプリケーション制御部２５が、放射線量計１０を累積値モードで動作させることを選択している状態（状態３）である場合、アプリケーション制御部２５は、動作モードを累積値モードとする制御信号を生成する。
【００５１】
また、表示操作部２１が表示画面を表示していない状態であり、アプリケーション制御部２５が、放射線量計１０を瞬時値モードで動作させることを選択している状態（状態４）である場合、アプリケーション制御部２５は、動作モードを累積値モードとする制御信号を生成する。
【００５２】
また、アプリケーション制御部２５は、放射線量計１０から受信した放射線量を含む表示画面を生成し、表示操作部２１に表示させる。
【００５３】
図５は、上記の状態１において、アプリケーション制御部２５が表示させる表示画面を示す図である。
【００５４】
図５に示す表示画面３１は、ｍＳｖで示された過去１年間の累積放射線量を含む。放射線量計１０を累積モードで動作させることで、アプリケーション制御部２５は、インタフェース２３を介して放射線量計１０から放射線量として累積値を受信する。アプリケーション制御部２５は、受信した累積値に基づいて表示画面３１を生成し、表示操作部２１に表示させる。
【００５５】
図６は、上記の状態２において、アプリケーション制御部２５が表示させる表示画面を示す図である。
【００５６】
図６に示す表示画面３２は、ｍＳｖで示された過去１年間の累積放射線量と、μＳｖ／ｈで示された現在の放射線量とを含む。放射線量計１０を瞬時値モードで動作させることで、アプリケーション制御部２５は、インタフェース２３を介して放射線量計１０から放射線量として累積値および瞬時値を受信する。アプリケーション制御部２５は、受信した累積値および瞬時値に基づいて表示画面３２を生成し、表示操作部２１に表示させる。
【００５７】
図１の説明に戻る。
【００５８】
ＯＳ制御部２６は、複数のアプリケーションから共通して利用される機能、例えば表示操作部２１からの操作信号を入出力する機能や、表示操作部２１へ表示画面を出力する機能などを提供する。
【００５９】
図７は、本実施形態にかかる放射線量計測システム１００の動作を説明するためのシーケンス図である。
【００６０】
通信端末２０のアプリケーション制御部２５は、放射線量計１０の動作モードを決定する動作モード決定処理を実行する。具体的には、アプリケーション制御部２５は、アプリケーション制御部２５の状態と、表示操作部２１の表示画面の状態とに基づいて、動作モードを決定する（ステップＳ１００）。
【００６１】
アプリケーション制御部２５は、放射線量計１０の動作モードを決定すると、決定した動作モードに応じた制御信号を生成して、インタフェース２３を介して放射線量計１０に送信する（ステップＳ１０５）。
【００６２】
放射線量計１０のＣＰＵ１４は、インタフェース１３を介して通信端末２０から制御信号を受信すると、受信した制御信号に基づいて、放射線量計１０の動作モードを設定する。具体的には、ＣＰＵ１４は、制御信号に基づいて、放射線量として測定する測定値の種類を設定する。制御信号が累積値モードを示す場合、ＣＰＵ１４は、測定値の種類として累積値を設定し、制御信号が瞬時値モードを示す場合、ＣＰＵ１４は、測定値の種類として累積値および瞬時値を設定する。また、ＣＰＵ１４は、設定した種類に応じた数の放射線検出センサ１１を選択し、電源１２を用いて、選択した放射線検出センサ１１に電力を供給させ、その他の放射線検出センサ１１への電力の供給を断たせる（ステップＳ１１０）。
【００６３】
ＣＰＵ１４は、設定した動作モードで放射線量を測定する。具体的には、ＣＰＵ１４は、選択された放射線検出センサ１１の検出結果を用いて、設定した種類の測定値を測定する（ステップＳ１１５）。
【００６４】
ＣＰＵ１４は、測定した放射線量をインタフェース１３を介して通信端末２０に送信する（ステップＳ１２０）。
【００６５】
通信端末２０のアプリケーション制御部２５は、放射線量計１０から放射線量を受信すると、表示操作部２１の表示画面はＯＮ状態であるか否かを判断する（ステップＳ１２５）。
【００６６】
表示操作部２１の表示画面がＯＮ状態である場合、アプリケーション制御部２５は、表示操作部２１を用いて、受信した放射線量を表示画面上に表示させる（ステップＳ１３０）。一方、表示操作部２１の表示画面がＯＦＦ状態である場合、アプリケーション制御部２５は、放射線量の表示を行わずに動作を終了する。
【００６７】
図８は、図７のステップＳ１００のより詳細な動作を説明するためのフローチャートである。
【００６８】
通信端末２０のアプリケーション制御部２５は、表示操作部２１の表示画面がＯＮ状態であるか否かを判断する（ステップＳ２００）。表示画面がＯＮ状態ではない場合、アプリケーション制御部２５は、放射線量計１０の動作モードを累積値モードとする（ステップＳ２０５）。
【００６９】
一方、表示画面がＯＮ状態である場合、アプリケーション制御部２５は、表示操作部２１が出力する操作信号に基づいて、アプリケーションに対して動作モードを選択する操作を検出したか否かを判断する（ステップＳ２１０）。
【００７０】
操作を検出しない場合、ステップＳ２００の処理に戻る。
【００７１】
一方、操作を検出した場合、アプリケーション制御部２５は、操作によって選択された動作モードを判断する（ステップＳ２１５）。
【００７２】
操作により瞬時値モードが選択された場合、アプリケーション制御部２５は、放射線量計１０の動作モードを瞬時値モードとする（ステップＳ２２０）。一方、操作により累積値モードが選択された場合、アプリケーション制御部２５は、放射線量計１０の動作モードを累積値モードとする（ステップＳ２０５）。
【００７３】
以上説明したように、本実施形態によれば、複数の放射線検出センサ１１を有する放射線量計１０と接続される通信端末２０は、放射線量を測定するＣＰＵ１４が放射線量として測定する測定値の種類をＣＰＵ１４に設定し、設定した種類に応じた数の放射線検出センサ１１を動作させる。
【００７４】
これにより、放射線量として測定される測定値の種類に応じた数の放射線検出センサ１１が動作するため、測定値の種類ごとに、その種類に対して求められる測定精度に応じた数の放射線検出センサ１１を動作させることが可能になる。したがって、求められる測定精度を保ちながら、消費電力を低減することが可能になる。
【００７５】
また、本実施形態によれば、通信端末２０は、放射線量計１０が、放射線量として累積値および瞬時値を測定する場合、累積値を測定する場合に動作させる放射線検出センサ１１の数よりも多い数の放射線検出センサ１１を動作させる。累積値は、比較的長い期間における放射線の量であり、瞬時値よりも値のオーダーが大きくなるため、累積値を測定する場合、瞬時値を測定する場合よりも放射線量に対して求められる精度は低い。したがって、放射線量計１０に測定させる測定値の種類ごとに求められる精度に応じて、適切な数の放射線検出センサ１１を動作させることが可能になり、放射線量に対して求められる精度を保ちながら、消費電力を低減することが可能になる。
【００７６】
また瞬時値を測定するためには、放射線検出センサ１１を比較的短期間動作させればよいのに対して、累積値は継続的に放射線検出センサ１１を動作させて測定する必要がある。このため、累積値を測定する場合に瞬時値を測定する場合よりも少ない数の放射線検出センサ１１を動作させることで、消費電力の低減効果は大きくなる。
【００７７】
また、本実施形態によれば、通信端末２０は、測定した放射線量を表示する表示部の状態に基づいて、放射線量計１０に測定させる放射線量の種類を決定する。より具体的には、表示操作部２１が表示画面を表示していない場合、通信端末２０は、表示操作部２１が表示画面を表示している場合と比べて、動作させる放射線検出センサ１１の数が小さくなる測定値の種類を設定する。
【００７８】
瞬時値は、現在の比較的短い期間における放射線の量を示す値である。このため表示部が測定した放射線量を表示していないときには、瞬時値を測定する必要がない場合が多い。したがって、表示部の状態に基づいて、放射線量計１０に測定させる測定値の種類を決定することで、放射線量計１０が測定する測定値の種類を必要に応じて自動的に変更することが可能になる。また、通信端末２０は、決定した放射線量の種類に応じた数の放射線検出センサを動作させるため、必要に応じて、消費電力を低減することが可能になる。
【００７９】
また、本実施形態によれば、放射線量計１０は、測定する放射線量の種類と、動作させる放射線検出センサ１１の数とが予め対応づけられた複数の動作モードを有し、通信端末２０は、動作モードを切り替えることで、放射線量の種類に応じた数の放射線検出センサ１１が動作させる。これにより、通信端末２０が動作モードを指定するという簡単な動作を行うだけで放射線検出センサ１１の数を変更することが可能になる。
【００８０】
また、本実施形態によれば、放射線量計１０は、ＣＰＵ１４が放射線量として測定する測定値の種類を検出された放射線の量を累積した累積値とし、かつ、所定の数の放射線検出センサ１１を動作させる動作モードと、ＣＰＵ１４が放射線量として測定する測定値の種類を単位時間あたりに検出された放射線の量である瞬時値とし、かつ、上記所定の数よりも多い放射線検出センサ１１を動作させる動作モードとを有する。これにより、瞬時値に対して求められる測定精度を保つことが可能になるとともに、瞬時値よりも測定精度が求められない累積値については、瞬時値よりも低い測定精度で測定を行い、放射線量計１０の消費電力を低減することが可能になる。
【００８１】
（第２の実施形態）
図９は、本発明の第２の実施形態にかかる放射線量計測システム２００の構成を示す図である。
【００８２】
図９に示す放射線量計測システム２００は、放射線量計８０と、通信端末９０とを有する。
【００８３】
放射線量計８０は、複数のセンサ８１と、測定部８２とを有する。
【００８４】
センサ８１は、放射線を検出する。
【００８５】
測定部８２は、センサ８１の検出結果を用いて放射線量を測定する。
【００８６】
通信端末９０は、制御部９１を有する。
【００８７】
制御部９１は、測定部８２が放射線量として測定する測定値の種類を測定部８２に設定するとともに、設定した種類に応じた数のセンサ８１を動作させる。
【００８８】
図１０は、本実施形態にかかる通信端末２０が行う放射線量計の制御方法を説明するためのフローチャートである。
【００８９】
制御部９１は、測定部８２が放射線量として測定する測定値の種類を測定部８２に設定する（ステップＳ３００）。
【００９０】
制御部９１は、設定した種類に応じた数のセンサ８１を動作させる（ステップＳ３０５）。
【００９１】
以上説明したように、本実施形態においても、放射線量として測定される測定値の種類に応じた数のセンサ８１が動作するため、測定値の種類ごとに、その種類に対して求められる測定精度に応じた数のセンサ８１を動作させることが可能になる。したがって、求められる測定精度を保ちながら、消費電力を低減することが可能になる。
【００９２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００９３】
１００，２００    放射線量計測システム
１０，８０        放射線量計
１１，８１        放射線検出センサ
１２              電源
１３              インタフェース
１４              ＣＰＵ（測定部）
２０，９０        通信端末
２１              表示操作部（表示部）
２２              通信部
２３              インタフェース
２４              ＣＰＵ
２５              アプリケーション制御部（制御部）
２６              ＯＳ制御部
８２              測定部
９１              制御部
【図１】
2014190819.tif 000003
【図２】
2014190819.tif 000004
【図３】
2014190819.tif 000005
【図４】
2014190819.tif 000006
【図５】
2014190819.tif 000007
【図６】
2014190819.tif 000008
【図７】
2014190819.tif 000009
【図８】
2014190819.tif 000010
【図９】
2014190819.tif 000011
【図１０】
2014190819.tif 000012